(57)【要約】 【課題】どの付帯情報を表示しているのかを明確にしつつ、表示する付帯情報の情報量を削減し、読影の妨げを防ぐ。【解決手段】画像ビューワ端末４０の制御部４１は、画像ビューワプログラム４５１と協働して、ユーザの設定操作による操作部４２からの操作信号に基づいて、項目名表示可否情報４５２を設定する。制御部４１は、設定された項目名表示可否情報に基づいて、医用画像に関する一又は複数の項目に対して、表示部４３に値のみを表示させるか、又は項目名と値の両方を表示させるかの表示可否を制御する。【選択図】図３
2011067475.tif 000002
【特許請求の範囲】
【請求項１】
医用画像と共に、当該医用画像に関する一又は複数の項目の項目名と値とを画面に表示する医用画像表示装置であって、
前記項目に対して、画面に値のみを表示させるか、又は項目名と値の両方を表示させるかを示す項目名表示可否情報を記憶する記憶手段と、
前記項目名表示可否情報に基づいて、前記各項目の項目名の表示可否を制御する制御手段と、
を備える医用画像表示装置。
【請求項２】
前記項目名表示可否情報の設定操作を受け付ける第１操作手段を更に備え、
前記制御手段は、前記第１操作手段からの操作信号に基づいて、前記項目名表示可否情報を設定する、
請求項１に記載の医用画像表示装置。
【請求項３】
前記制御手段は、
前記医用画像に付帯する付帯情報と、項目名表示可否情報に含まれる適用条件情報とに基づいて、適用する項目名表示可否情報を決定し、当該決定した項目名表示可否情報に基づいて、前記各項目の項目名の表示可否を制御する、
請求項１又は２に記載の医用画像表示装置。
【請求項４】
前記医用画像に関する一又は複数の項目の項目名と値の画面への表示状態の切替操作を受け付ける第２操作手段を更に備え、
前記制御手段は、前記第２操作手段からの操作信号に基づいて、前記表示状態を切り替える、
請求項１〜３の何れか一項に記載の医用画像表示装置。
【請求項５】
前記表示状態の一つは、前記制御手段により、前記項目名表示可否情報に基づく前記各項目の項目名の表示可否の制御が行われた状態である、
請求項４に記載の医用画像表示装置。
【請求項６】
前記表示状態の一つは、前記制御手段により、全ての前記項目に対して項目名と値の両方を画面に表示させた状態である、
請求項４又は５に記載の医用画像表示装置。
【請求項７】
前記表示状態の一つは、前記制御手段により、全ての前記項目に対して値のみを画面に表示させた状態である、
請求項４〜６の何れか一項に記載の医用画像表示装置。
【請求項８】
前記表示状態の一つは、前記制御手段により、全ての前記項目に対して項目名と値の両方を画面に表示させない状態である、
請求項４〜７の何れか一項に記載の医用画像表示装置。
【請求項９】
前記医用画像は、乳房画像である、
請求項１〜８の何れか一項に記載の医用画像表示装置。
【請求項１０】
医用画像と共に、当該医用画像に関する一又は複数の項目の項目名と値とを画面に表示するコンピュータを、
前記項目に対して、画面に値のみを表示させるか、又は項目名と値の両方を表示させるかを示す項目名表示可否情報を記憶する記憶手段、
前記項目名表示可否情報に基づいて、前記各項目の項目名の表示可否を制御する制御手段、
として機能させるためのプログラム。
【発明の詳細な説明】
【技術分野】
【０００１】
本発明は、医用画像表示装置及びプログラムに関する。
【背景技術】
【０００２】
病院や診療所等の医療施設では、乳房画像撮影装置（マンモグラフィ）等の医用画像撮影装置（モダリティ）を用いて患者の撮影が行われ、医用画像（医用画像データ）が生成される。そして、この医用画像に患者情報や検査情報等を含む付帯情報が付帯され、ＤＩＣＯＭ（Digital Imaging and Communication in Medicine）規格に準拠したＤＩＣＯＭ画像データが生成される。ＤＩＣＯＭとは、医用画像の通信及び保存フォーマットに関する標準規格であり、この規格に準拠することで、異なる医療機器間での相互通信性が確保される。
【０００３】
生成されたＤＩＣＯＭ画像データは、ＰＡＣＳ（Picture Archiving and Communication System）と呼ばれる医用画像管理システム（医用画像管理装置）に送信され、このＰＡＣＳにて記憶され管理される（ＰＡＣＳに登録される）。そして、読影医は、画像ビューワ端末等において、これらのＤＩＣＯＭ画像データに基づいた医用画像や付帯情報を閲覧する。
【０００４】
ところで、画像ビューワ端末において付帯情報を表示する際、人名や日付等の値表現が等しい情報同士については、値のみでは何の情報か判断できず、患者や検査の取り違え等の危険が生じる。そのため、情報そのものの「値」に加え、それが何の情報かを示す「項目名」をセットで表示し、どのような付帯情報を表示しているのかを明確にする必要がある。
【０００５】
例えば、画像の付帯情報を「項目名：値」の形式で表示することにより、誤解の無い情報提供を可能としている（特許文献１参照）。
【先行技術文献】
【特許文献】
【０００６】
【特許文献１】特開２００４−１９４７０４号公報
【発明の概要】
【発明が解決しようとする課題】
【０００７】
しかし、付帯情報の値を項目名と合わせて表示した場合、それぞれが何の情報を表すかは明確になるものの、画面における情報の表示領域が大きく、読影の妨げになる可能性がある。特に、暗い部屋で読影を行う乳房画像診断（マンモグラフィ診断）においては、文字量が多いと画面全体が眩しく感じられるため、付帯情報の表示領域を極力減らすことが望まれる。
【０００８】
本発明は、上述したような課題に鑑みて為されたものであり、その目的とするところは、どの付帯情報を表示しているのかを明確にしつつ、表示する付帯情報の情報量を削減し、読影の妨げを防ぐことである。
【課題を解決するための手段】
【０００９】
上記の課題を解決するために、請求項１に記載の発明は、
医用画像と共に、当該医用画像に関する一又は複数の項目の項目名と値とを画面に表示する医用画像表示装置であって、
前記項目に対して、画面に値のみを表示させるか、又は項目名と値の両方を表示させるかを示す項目名表示可否情報を記憶する記憶手段と、
前記項目名表示可否情報に基づいて、前記各項目の項目名の表示可否を制御する制御手段と、
を備える。
【００１０】
請求項２に記載の発明は、請求項１に記載の発明において、
前記項目名表示可否情報の設定操作を受け付ける第１操作手段を更に備え、
前記制御手段は、前記第１操作手段からの操作信号に基づいて、前記項目名表示可否情報を設定する。
【００１１】
請求項３に記載の発明は、請求項１又は２に記載の発明において、
前記制御手段は、
前記医用画像に付帯する付帯情報と、項目名表示可否情報に含まれる適用条件情報とに基づいて、適用する項目名表示可否情報を決定し、当該決定した項目名表示可否情報に基づいて、前記各項目の項目名の表示可否を制御する。
【００１２】
請求項４に記載の発明は、請求項１〜３の何れか一項に記載の発明において、
前記医用画像に関する一又は複数の項目の項目名と値の画面への表示状態の切替操作を受け付ける第２操作手段を更に備え、
前記制御手段は、前記第２操作手段からの操作信号に基づいて、前記表示状態を切り替える。
【００１３】
請求項５に記載の発明は、請求項４に記載の発明において、
前記表示状態の一つは、前記制御手段により、前記項目名表示可否情報に基づく前記各項目の項目名の表示可否の制御が行われた状態である。
【００１４】
請求項６に記載の発明は、請求項４又は５に記載の発明において、
前記表示状態の一つは、前記制御手段により、全ての前記項目に対して項目名と値の両方を画面に表示させた状態である。
【００１５】
請求項７に記載の発明は、請求項４〜６の何れか一項に記載の発明において、
前記表示状態の一つは、前記制御手段により、全ての前記項目に対して値のみを画面に表示させた状態である。
【００１６】
請求項８に記載の発明は、請求項４〜７の何れか一項に記載の発明において、
前記表示状態の一つは、前記制御手段により、全ての前記項目に対して項目名と値の両方を画面に表示させない状態である。
【００１７】
請求項９に記載の発明は、請求項１〜８の何れか一項に記載の発明において、
前記医用画像は、乳房画像である。
【００１８】
請求項１０に記載のプログラムは、
医用画像と共に、当該医用画像に関する一又は複数の項目の項目名と値とを画面に表示するコンピュータを、
前記項目に対して、画面に値のみを表示させるか、又は項目名と値の両方を表示させるかを示す項目名表示可否情報を記憶する記憶手段、
前記項目名表示可否情報に基づいて、前記各項目の項目名の表示可否を制御する制御手段、
として機能させる。
【発明の効果】
【００１９】
請求項１、１０に記載の発明によれば、制御手段は、医用画像に関する一又は複数の項目に対して、画面に値のみを表示させるか、又は項目名と値の両方を表示させるかを示す項目名表示可否情報に基づいて、前記各項目の項目名の表示可否を制御する。
【００２０】
そのため、どの付帯情報を表示しているのかを明確にしつつ、表示する付帯情報の情報量を削減し、読影の妨げを防ぐことができる。
【００２１】
請求項２に記載の発明によれば、ユーザが第１操作手段において項目名表示可否情報の設定操作を行い、項目名表示可否情報が設定される。
【００２２】
そのため、ユーザが値のみで識別できる項目のみ、値のみ表示させることが可能なので付帯情報の表示領域を極力減らすことができる。
【００２３】
請求項３に記載の発明によれば、医用画像の種類に応じて、最適な表示を行うことができる。
【００２４】
請求項４、５、６、７、８に記載の発明によれば、状況に応じて、ユーザが所望する表示状態に設定することができる。
【００２５】
請求項９に記載の発明によれば、読影の妨げをより防ぐことができる。
【図面の簡単な説明】
【００２６】
【図１】医用画像システムのシステム構成図である。
【図２】ＤＩＣＯＭ画像データのデータ構成図である。
【図３】画像ビューワ端末のブロック図である。
【図４】項目名表示可否情報のデータ構成図である。
【図５】項目名表示可否情報設定処理のフローチャートである。
【図６】項目名表示可否情報の設定例である。
【図７】医用画像表示処理のフローチャートである。
【図８】読影画面の画面例である。
【図９】読影画面の画面例である。
【図１０】読影画面の画面例である。
【発明を実施するための形態】
【００２７】
以下、本発明の医用画像表示装置を図１の画像ビューワ端末４０に適用した場合の実施形態について図１〜図１０を参照して説明する。
【００２８】
[医用画像システムのシステム構成]
先ず、画像ビューワ端末４０を有する医用画像システム１００の概要について図１を用いて説明する。
【００２９】
図１は、医用画像システム１００のシステム構成の一例を示すブロック図である。図１によれば、医用画像システム１００は、ＲＩＳ１０と、モダリティ２０と、ＰＡＣＳ３０と、画像ビューワ端末４０と、から構成されている。上記の各装置はＬＡＮ（Local Area Network）等の通信ネットワークＮを介してデータ通信可能に接続されている。
【００３０】
ＲＩＳ１０は、放射線科部門内における診療予約、診断結果のレポート、実績管理、材料在庫管理等の情報管理を行う。ＲＩＳ１０は、図示しない電子カルテシステム等において生成された撮影オーダ情報をモダリティ２０に送信する。
【００３１】
モダリティ２０は、ＲＩＳ１０から受信した撮影オーダ情報に従って、患者を撮影し、医用画像の画像データ（医用画像データ）を生成する医用画像撮影装置である。また、モダリティ２０は、前記撮影オーダ情報に基づいて、前記画像データに関する付帯情報を生成する。そして、モダリティ２０は、前記画像データ（以下、実画像データと称す。）に当該付帯情報を付帯させて、ＤＩＣＯＭ規格に則ったＤＩＣＯＭ画像データを生成し、ＰＡＣＳ３０に送信する。モダリティ２０としては、主に、ＣＲ装置（乳房画像撮影装置（マンモグラフィ））が適用可能であるが、ＣＴ装置、ＭＲＩ装置等、様々な種類の医用画像を撮影する撮影装置（医用画像撮影装置）を適用してもよい。
【００３２】
図２に、モダリティ２０が生成するＤＩＣＯＭ画像データのデータ構成図を示す。前述したように、ＤＩＣＯＭ画像データは、付帯情報と実画像データとから構成される。また、付帯情報は、患者情報、検査情報、シリーズ情報及び画像識別情報を含む。
【００３３】
患者情報は、患者ＩＤ、患者氏名、性別、生年月日、住所、職業等の患者に関する情報である。検査情報は、検査を識別する検査ＩＤ、検査名、検査日時、受付番号、検査目的、検査内容等の検査に関する情報である。シリーズ情報は、シリーズ番号、モダリティ、手技、撮影部位、撮影方向、撮影技師名等の、一つの検査の中で生成されるモダリティ毎の一連の医用画像の単位（シリーズ）に関する情報である。画像識別情報は、画像を識別するＳＯＰインスタンスＵＩＤ、画像番号、画像サイズ等の医用画像に関する情報である。
【００３４】
図１に戻り、ＰＡＣＳ３０は、モダリティ２０において生成されたＤＩＣＯＭ画像データを保存管理し、検索やデータ解析を行うデータベースシステムである。ＰＡＣＳ３０は、モダリティ２０から受信したＤＩＣＯＭ画像データに含まれる付帯情報に基づいて当該ＤＩＣＯＭ画像データを、例えば、リレーショナルデータベースに蓄積記憶していく。そして、ＰＡＣＳ３０は、読影医等の操作指示に応じて指定された患者ＩＤや検査ＩＤ等を検索キーとしてＤＩＣＯＭ画像データを検索し、画像ビューワ端末４０やイメージャに出力する。ＰＡＣＳ３０は、患者ＩＤや検査ＩＤ等の検索キーを含むＤＩＣＯＭ画像データ取得要求を外部機器から受信すると、この取得要求に応じたＤＩＣＯＭ画像データを検索して外部機器に提供（送信）する。
【００３５】
画像ビューワ端末４０は、医用画像を表示するビューワ機能を有しており、読影医等の読影に供する端末である。画像ビューワ端末４０は、ＤＩＣＯＭ画像データ取得要求をＰＡＣＳ３０に送信し、ＰＡＣＳ３０から取得要求に応じたＤＩＣＯＭ画像データを取得する。そして、画像ビューワ端末４０は、取得したＤＩＣＯＭ画像データを表示する。
【００３６】
[画像ビューワ端末の機能的構成]
図３に、画像ビューワ端末４０の機能的構成を示す。
【００３７】
図３に示すように、画像ビューワ端末４０は、制御部４１、操作部４２、表示部４３、通信部４４、記憶部４５を備えて構成され、各部はバス４６により接続されている。
【００３８】
制御部４１は、ＣＰＵ（Central Processing Unit）、ＲＡＭ（Random Access Memory）等から構成され、画像ビューワ端末４０の各部の処理動作を統括的に制御する。具体的には、ＣＰＵは、操作部４２から入力される操作信号又は通信部４４により受信される指示信号に応じて、記憶部４５に記憶されている各種処理プログラムを読み出し、ＲＡＭ内に形成されたワークエリアに展開し、当該プログラムとの協働により各種処理を行う。
【００３９】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。
【００４０】
表示部４３は、ＬＣＤ（Liquid Crystal Display）により構成され、制御部４１から入力される表示データに基づいて各種画面を表示する。
【００４１】
通信部４４は、ＬＡＮ（Local Area Network）アダプタ、ルータ、ＴＡ（Terminal Adapter）等を備え、通信ネットワークＮを介して接続されたＰＡＣＳ３０等の外部機器との間でデータの送受信を行う。
【００４２】
記憶部４５は、ハードディスク等から構成され、制御プログラム、当該プログラムの実行に必要なパラメータやファイル等を記憶している。
【００４３】
また、記憶部４５は、ＤＩＣＯＭ画像データを表示するためのプログラムである画像ビューワプログラム４５１を記憶する。制御部４１は、画像ビューワプログラム４５１と協働して医用画像表示処理及び項目名表示可否情報設定処理を行う。医用画像表示処理とは、制御部４１が、ＤＩＣＯＭ画像データに基づいて、医用画像とこの医用画像に関する一又は複数の項目の項目名と値とを画面に表示する処理である。医用画像表示処理及び項目名表示可否情報設定処理の詳細については後述する。
【００４４】
また、記憶部４５は、医用画像表示処理において用いられる項目名表示可否情報４５２を記憶する。項目名表示可否情報４５２とは、医用画像表示処理において、医用画像に関する各項目に対して、画面に値のみを表示させるか、又は項目名と値の両方を表示させるかを示す情報である。
【００４５】
図４に、項目名表示可否情報４５２のデータ構成を示す。
【００４６】
図４に示すように、項目名表示可否情報４５２は、項目「適用条件情報」、「値のみ表示項目」から成る一又は複数のデータオブジェクト（項目名表示可否情報オブジェクト）から構成される。
【００４７】
項目「適用条件情報」とは、項目名表示可否情報４５２の適用条件を示す情報である。詳しくは後述する。
【００４８】
項目「値のみ表示項目」とは、医用画像に関する項目のうち、値のみを表示する項目を示す一覧である。詳しくは後述する。
【００４９】
図３に戻り、制御部４１は、通信部４４を介してＰＡＣＳ３０からＤＩＣＯＭ画像データを受信すると、医用画像表示処理を行う。読影医は、表示部４３に表示された医用画像や付帯情報（医用画像に関する一又は複数の項目の項目名と値）を参照して、読影を行う。制御部４１は、読影医の操作による操作部４２からの操作信号に基づいて、医用画像表示処理を終了する。
【００５０】
[項目名表示可否情報設定処理]
次に、画像ビューワ端末４０の制御部４１が行う項目名表示可否情報設定処理について、図５を用いて説明する。
【００５１】
まず、ユーザは、操作部４２に対して、項目名表示可否情報４５２の設定操作を行う。そして、制御部４１は、操作部４２からの操作信号を受け付ける（ステップＳ１）。
【００５２】
次に、制御部４１は、この操作信号に基づいて、項目名表示可否情報４５２を設定する（ステップＳ２）。以上で処理が終了する。
【００５３】
図６に、実際に設定される項目名表示可否情報４５２の例を示す。ここで、項目名を表示する一つの表示パターンに対応する項目名表示可否情報４５２が、一つの項目名表示可否情報オブジェクトとなる。
【００５４】
図６に示すように、項目名表示可否情報オブジェクトｄ１において、「適用条件情報」は、ＤＩＣＯＭ画像データの付帯情報のシリーズ情報に含まれる「モダリティ」の値が「ＣＲ」であることとなっている。また、「値のみ表示項目」は、「モダリティ」「部位」「ＷＷ／ＷＣ」となっている。
【００５５】
また、項目名表示可否オブジェクトｄ２において、「適用条件情報」は、ＤＩＣＯＭ画像データの付帯情報のシリーズ情報に含まれる「モダリティ」の値が「ＣＲ」であり、且つ、シリーズ情報に含まれる「撮影部位」の値が「ＢＲＥＡＳＴ」であることとなっている。また、「値のみ表示項目」は、「モダリティ」「部位」「管電圧」「曝射量」「陽極ターゲット材料」「フィルタ材料」「乳房厚」「圧迫圧」「ＷＷ／ＷＣ」となっている。
【００５６】
図５のステップＳ２において、制御部４１は、項目名表示可否情報オブジェクトを生成したり、削除したり、内容を変更したりする。
【００５７】
[医用画像表示処理]
次に、画像ビューワ端末４０の制御部４１が行う医用画像表示処理について、図７を用いて説明する。この医用画像表示処理は、読影医が読影を行う際に実行される。
【００５８】
ユーザは、画像ビューワ端末４０の操作部４２に対して、項目名表示状態を設定する旨の操作を行う。ここで、項目名表示状態とは、付帯情報の表示状態である。項目名表示状態には、「全表示」「全非表示」「特定項目のみ非表示」がある。
【００５９】
ここで、「全表示」とは、医用画像と共に、この医用画像に関する表示対象となる全ての項目に対して、項目名と値とを表示させる状態である。
【００６０】
また、「全非表示」とは、医用画像と共に、この医用画像に関する表示対象となる全ての項目に対して、値のみを表示させる状態である。
【００６１】
また、「特定項目のみ非表示」とは、医用画像と共に、項目名表示可否情報オブジェクトに基づいて、特定の項目に対して、値のみを表示させる状態である。
【００６２】
制御部４１は、操作部４２からの操作信号に基づいて、項目名表示状態を設定する（ステップＳ１０１）。なお、制御部４１は、操作部４２からの操作信号によらず、デフォルトで項目名表示状態を「特定項目のみ非表示」等に設定してもよい。
【００６３】
読影医は、画像ビューワ端末４０の操作部４２に対して、読影対象となるＤＩＣＯＭ画像データをＰＡＣＳ３０から取得する旨のユーザ操作を行う。そして、画像ビューワ端末４０は、ＤＩＣＯＭ画像取得要求をＰＡＣＳ３０に送信し、ＰＡＣＳ３０から取得要求に応じたＤＩＣＯＭ画像データを受信する。
【００６４】
制御部４１は、通信部４４を介して、ＤＩＣＯＭ画像データを取得する（ステップＳ１０２）。
【００６５】
制御部４１は、取得したＤＩＣＯＭ画像データに含まれる付帯情報と、記憶部４５に記憶されている項目名表示可否情報４５２とに基づいて、本医用画像表示処理に適用する項目名表示可否情報オブジェクトを決定する（ステップＳ１０３）。
【００６６】
具体的に、記憶部４５に記憶されている複数の項目名表示可否情報オブジェクト（項目名表示可否情報４５２）に含まれる適用条件情報を読み出す。ここでは、図６を参照して、２つの項目名表示可否情報オブジェクトｄ１、ｄ２が記憶部４５に記憶されているとする。そして、制御部４１は、取得したＤＩＣＯＭ画像データに含まれる付帯情報のシリーズ情報から項目「モダリティ」の値と、項目「撮影部位」の値とを読み出す。そして、制御部４１は、読み出した各適用条件情報と、読み出した付帯情報とが一致するか否かを判定し、一致した適用条件情報を含む項目名表示可否情報オブジェクトを、適用するオブジェクトとして決定する。
【００６７】
ここで、取得したＤＩＣＯＭ画像データにおける項目「モダリティ」の値が「ＣＲ」、項目「撮影部位」の値が「ＢＲＥＡＳＴ」である場合、制御部４１は、適用条件情報の項目「モダリティ」「撮影部位」の両方が一致する項目名表示可否情報オブジェクトｄ２を、適用するオブジェクトとして決定する。
【００６８】
次に、制御部４１は、取得したＤＩＣＯＭ画像データに含まれる実画像データに基づいて、表示部４３に医用画像を表示させる（ステップＳ１０４）。
【００６９】
そして、制御部４１は、ステップＳ１０１において設定された項目名表示状態が「全表示」であるか否かを判定する（ステップＳ１０５）。
【００７０】
項目名表示状態が「全表示」である場合（ステップＳ１０５；ＹＥＳ）、制御部４１は、医用画像に関する表示対象の全ての項目に対して、項目名と値の両方を表示部４３に表示させる（ステップＳ１０６）。そして、制御部４１は、操作部４２からの操作信号に基づく項目名表示状態の切替要求があるか否かを判定する（ステップＳ１１０）。
【００７１】
一方、項目名表示状態が「全表示」でない場合（ステップＳ１０５；ＮＯ）、制御部４１は、項目名表示状態が「全非表示」であるか否かを判定する（ステップＳ１０７）。
【００７２】
項目名表示状態が「全非表示」である場合（ステップＳ１０７；ＹＥＳ）、制御部４１は、医用画像に関する表示対象の全ての項目に対して、値のみを表示部４３に表示させる（ステップＳ１０８）。そして、制御部４１は、操作部４２からの操作信号に基づく項目名表示状態の切替要求があるか否かを判定する（ステップＳ１１０）。
【００７３】
一方、項目名表示状態が「全非表示」でない場合（ステップＳ１０７；ＮＯ）、即ち、項目名表示状態が「特定項目のみ非表示」である場合（ステップＳ１０７；ＮＯ）、制御部４１は、ステップＳ１０３において決定した項目名表示可否情報オブジェクトに基づいて、医用画像に関する特定の項目に対して、値のみを表示部４３に表示させる（ステップＳ１０９）。
【００７４】
具体的に、制御部４１は、項目名表示可否情報オブジェクトｄ２を適用する場合、項目「モダリティ」「部位」「管電圧」「曝射量」「陽極ターゲット材料」「フィルタ材料」「乳房厚」「圧迫圧」「ＷＷ／ＷＣ」に対しては値のみを、表示対象となるその他の項目に対しては、項目名と値とを表示部４３に表示させる。
【００７５】
ステップＳ１０９の処理が終了すると、制御部４１は、操作部４２からの操作信号に基づく項目名表示状態の切替要求があるか否かを判定する（ステップＳ１１０）。
【００７６】
切替要求がある場合（ステップＳ１１０；ＹＥＳ）、制御部４１は、要求に応じた項目名表示状態（「全表示」「全非表示」「特定項目のみ非表示」）に切り替える（ステップＳ１１１）。そして、制御部４１は、ステップＳ１０５の処理に戻る。
【００７７】
一方、切替要求がない場合（ステップＳ１１０；ＮＯ）、制御部４１は、ユーザ操作による操作部４２からの読影を終了する旨の操作信号が入力されたか否かを判定する（ステップＳ１１２）。
【００７８】
読影を終了する旨の操作信号が入力されていない場合（ステップＳ１１２；ＮＯ）、制御部４１は、ステップＳ１１０の処理に戻る。一方、読影を終了する旨の操作信号が入力された場合（ステップＳ１１２；ＹＥＳ）、制御部４１は、処理を終了する。
【００７９】
[画面例]
図８〜図１０に、制御部４１が実行する医用画像表示処理により表示部４３に表示される画面の画面例である。図８は、項目名表示状態が「全表示」である場合の画面例である。図９は、項目名表示状態が「特定項目のみ非表示」である場合の画面例である。また、図１０は、項目名表示状態が「特定項目のみ非表示」であり、図９の項目名表示可否情報オブジェクトとは別の項目名表示可否情報オブジェクトが適用された場合の画面例である。
【００８０】
図８に示すように、項目名表示状態が「全表示」である場合、表示部４３には、医用画像とこの医用画像に関する表示対象となる全ての項目の項目名と値とが表示される。即ち、表示対象となる項目「患者ＩＤ」「患者氏名」「生年月日」「検査ＩＤ」「読影医師」「検査日」「モダリティ」「部位」「シリーズ番号」「画像番号」「管電圧」「曝射量」「乳房厚」「圧迫圧」「ＷＷ／ＷＣ」の項目名と値とが表示される。
【００８１】
図９に示すように、項目名表示状態が「特定項目のみ非表示」である場合、表示部４３には、項目名可否情報オブジェクトに基づいて、医用画像に関する特定の項目に対して値のみが表示される。ここで、項目名可否情報オブジェクトの「値のみ表示項目」を構成する項目は「モダリティ」「部位」「管電圧」「曝射量」「乳房厚」「圧迫圧」「ＷＷ／ＷＣ」である。
【００８２】
また、図１０では、図９と同様に、表示部４３には、項目名可否情報オブジェクトに基づいて、医用画像に関する特定の項目に対して値のみが表示される。ここで、項目名可否情報オブジェクトの「値のみ表示項目」を構成する項目は「検査ＩＤ」「読影医師」「検査日」「モダリティ」「部位」「管電圧」「曝射量」「乳房厚」「圧迫圧」「ＷＷ／ＷＣ」である。
【００８３】
以上、本実施形態によれば、画像ビューワ端末４０の制御部４１は、ユーザの設定操作による操作部４２からの操作信号に基づいて、項目名表示可否情報４５２を設定する。制御部４１は、設定された項目名表示可否情報４５２に基づいて、医用画像に関する一又は複数の項目に対して表示部４３に値のみを表示させるか、又は項目名と値の両方を表示させるかの表示可否を制御する。
【００８４】
そのため、図９や図１０のように、ユーザが値のみで判別することができる項目については値のみを表示させ、ユーザが値のみで判別することができない項目については、値と項目名の両方を表示させることができる。具体的に、図９や図１０の画面は、図８の画面に比べて、付帯情報の文字情報が少なくなる。
【００８５】
よって、どの付帯情報を表示しているのかを明確にしつつ、表示する付帯情報の情報量を削減して画面における情報の表示領域を小さくすることができ、読影の妨げを防ぐことができる。また、暗い部屋で読影を行うマンモグラフィ診断において、ユーザが画面全体を眩しく感じてしまうことを防ぐことができる。
【００８６】
また、画像ビューワ端末４０の記憶部４５は、一又は複数の項目名表示可否情報オブジェクトを記憶する。制御部４１は、取得したＤＩＣＯＭ画像データに含まれる付帯情報と、項目名表示可否情報オブジェクトに含まれる適用条件情報とに基づいて、適用する項目名表示可否情報オブジェクトを決定する。
【００８７】
そのため、医用画像の種類に応じて、最適な表示を行うことができる。
【００８８】
また、制御部４１は、ユーザの設定操作による操作部４２からの操作信号に基づいて、項目名表示状態（「全表示」「全非表示」「特定項目のみ非表示」）を切り替える。
【００８９】
そのため、状況に応じて、ユーザが所望する表示状態に設定することができる。
【００９０】
尚、本実施形態における記述は、本発明に係る医用画像表示装置の一例であり、これに限定されるものではない。システム及び各装置の細部構成及び細部動作に関しても適宜変更可能である。
【００９１】
尚、項目名表示状態に、「非表示」を加えてもよい。「非表示」とは、医用画像のみを表示させる状態である。
【００９２】
また、本実施形態では、プログラムを格納したコンピュータ読み取り可能な媒体としてハードディスクを使用した例を開示したが、この例に限定されない。その他のコンピュータ読み取り可能な媒体として、ＣＤ−ＲＯＭ等の可搬型記憶媒体、フラッシュメモリ等の不揮発性メモリ等を適用することが可能である。また、プログラムのデータを通信回線を介して提供する媒体として、キャリアウェーブ（搬送波）も適用可能である。
【符号の説明】
【００９３】
１０      ＲＩＳ
２０      モダリティ
３０      ＰＡＣＳ
４０      画像ビューワ端末
４１      制御部
４２      操作部
４３      表示部
４４      通信部
４５      記憶部
４６      バス
１００    医用画像システム
４５１    画像ビューワプログラム
４５２    項目名表示可否情報
Ｎ        通信ネットワーク
【図１】
2011067475.tif 000003
【図２】
2011067475.tif 000004
【図３】
2011067475.tif 000005
【図４】
2011067475.tif 000006
【図５】
2011067475.tif 000007
【図６】
2011067475.tif 000008
【図７】
2011067475.tif 000009
【図８】
2011067475.tif 000010
【図９】
2011067475.tif 000011
【図１０】
2011067475.tif 000012